(57)【要約】【課題】イモビライザー機能を有する医療用ポジショナーを提供すること。【解決手段】ポートを介してエアは自由に出入りするが、ビッドの移動は抑制する真空パッドを構成し、真空パッドの外表面に位置合わせ用のロックバーを堅固に固定させることで、医療用ポジショナーに適用される真空パッドを患者が着用する際にその真空パッド内部に備えられたビッドが偏重することを防止し、ビッドをセル単位に区切るパーティションであるが、ポートを介してビッドが指定セルから離脱して隣接セルに移動することを制御して医療検査装備により患者の検査作業を行う際に真空パッドを着用した患者の診断や治療の姿勢を自在かつ正確に校正させ、この校正姿勢を正確に固定し、医療装置により行われる診断や治療の正確度を高めることができる。【選択図】図１
2011011046.tif 000002
【特許請求の範囲】
【請求項１】
エアノズルと複数の雌雄嵌合部とを有しながら内部にはビッドが備えられ、エア充填時にはエアクッションを形成した後、エア除去時には真空状態で前記ビッドが患者の身体を固定する真空パッドと、
医療装置とセットになっている検査テーブルの位置合わせ用のピンが嵌合されるホールを形成し、前記真空パッドの外側表面に固定する位置合わせ用のロックバーと、
前記ロックバーの位置に対応する前記真空パッドの内側表面に固定される固定バーと、を含み、
前記固定バーは前記真空パッドの外側及び内側表面に前記ロックバーと固定バーとを固定するための接着剤を塗布する際に、前記真空パッドに吸収される前記接着剤を介して前記ロックバーと相互接着結合が行われるように構成されることを特徴とするイモビライザー機能を有する医療用ポジショナー。
【請求項２】
前記真空パッドはエア充填でエアクッションが形成されるものであって、前記真空パッドを着用した患者の特定姿勢を保持するために補助エアバッグが結合されて構成されることを特徴とする請求項１に記載のイモビライザー機能を有する医療用ポジショナー。
【請求項３】
前記真空パッドには掛け部が形成され、前記補助エアバッグには前記掛け部に結着される所定長さの紐が構成されることを特徴とする請求項２に記載のイモビライザー機能を有する医療用ポジショナー。
【請求項４】
前記真空パッドは上面と下面との二重のラップから構成され、前記ラップの端は熱接合によって密封されるとともに、パーティションによって複数のセルに区画され、前記各パーティションが連通するように前記各パーティションにはエアが出入りされるポートが備えられることを特徴とする請求項１または請求項２に記載のイモビライザー機能を有する医療用ポジショナー。
【請求項５】
前記パーティションは前記上面と下面とが熱接合されて形成され、前記ポートは前記上面と下面とが熱接合されない領域に構成されていることを特徴とする請求項４に記載のイモビライザー機能を有する医療用ポジショナー。
【請求項６】
前記ポートには前記エアを選択的に通過させるが、ビッドを遮断するフィルタが備えられることを特徴とする請求項４に記載のイモビライザー機能を有する医療用ポジショナー。
【請求項７】
パーティションはエアノズルから遠くなるほど前記ポート及びフィルタの直径が次第に拡張されるように構成されていることを特徴とする請求項６に記載のイモビライザー機能を有する医療用ポジショナー。
【請求項８】
前記フィルタは真空パッドが真空状態で身にこたえないように収縮が自由なスポンジであることを特徴とする請求項６に記載のイモビライザー機能を有する医療用ポジショナー。
【請求項９】
前記スポンジは円筒状で、直径はポートの直径より少なくとも１．５倍以上であって、前記スポンジの腰部分を収縮させた状態でポートに装着構成されることを特徴とする請求項８に記載のイモビライザー機能を有する医療用ポジショナー。
【請求項１０】
ビッドの直径は２ｍｍ以上であって、前記スポンジのメッシュの大きさは１．５ｍｍを越えないように構成されることを特徴とする請求項９に記載のイモビライザー機能を有する医療用ポジショナー。
【発明の詳細な説明】
【技術分野】
【０００１】
本発明は、イモビライザー機能を有する医療用ポジショナーに関し、特に、検査や治療のために、テーブルに患者を所定姿勢に維持して自在かつ正確に校正し、その校正された姿勢を固定し、医療装置を介して診療や治療の正確度を高めるためのイモビライザー機能を有する医療用ポジショナー(Ｍｅｄｉｃａｌ  Ｐｏｓｉｔｉｏｎｅｒ  ｔｈａｔ  ｈａｖｅ  Ｉｍｍｏｂｉｌｉｚｅｒ  Ｆｕｎｃｔｉｏｎ)に関する。
【背景技術】
【０００２】
診断や治療のための医療装置(例；ＭＲＩ、ＣＴ、Ｘ−Ｒａｙ、超音波スキャナ、放射線治療用線形アクセレータなど)には、患者に安定した姿勢を保持させる患者用検査テーブルが設けられ、その検査テーブルには患者の意志を制限し、安定した姿勢が保持できるようにして診断や治療の正確度を高める医療用ポジショナーが設けられている。
【０００３】
上記医療用ポジショナーは検査テーブルに固定させて患者を固定するベルト、または脱着可能な真空パッドが用いられる。しかし、このようなベルトによる固定方式は身体條件の異なる患者に適切に対応させることができないため、活用性が低いという問題があった。
【０００４】
そこで、従来は脱着可能な真空パッドを用いる場合が多いが、その理由は患者体形に沿って自然に変形でき、あらゆる患者の身体條件に適切に対応できるからである。
【０００５】
脱着可能な真空パッドを用いる場合は、上記真空パッドにホールが設けられた位置合わせ用のロックバー（Ｌｏｋ−Ｂａｒ）が構成され、検査テーブルには上記ロックバーのホールに嵌合されるピンが構成され、上記ロックバーは上記真空パッドの外表面に接着剤などによって付着される構成となっている。
【０００６】
しかし、従来の真空パッドは合成纎維材質であって、位置合わせ用のロックバーは硬質のプラスチックのような材質からなっていったため、上記真空パッドの外表面にロックバーを接着剤などで付着して固定した場合、その付着の状態が堅固でない場合が多かった。
【０００７】
したがって、従来では、患者が真空パッドを着用した状態で、上記真空パッドに固定された位置合わせ用のロックバーのホールに検査テーブルのピンを挿入して上記真空パッドの検査位置を決定する場合、上記ロックバーが真空パッドから離脱するという問題が頻繁に発生しており、これによって、真空パッドの診断や治療のための位置合わせ及び固定作業に不都合が生じ、医療検査装備による患者の診断や治療の正確度が落ちる問題があった。
【発明の概要】
【発明が解決しようとする課題】
【０００８】
そこで、本発明は、上記問題に鑑みてなされたものであり、本発明の目的とするところは、真空パッドの外表面に位置合わせ用のロックバーを堅固に固定させることで、検査テーブルで真空パッドを着用した患者を所定姿勢に自在かつ正確に固定させて医療装置による患者の診断や治療の正確度を高めるイモビライザー機能を有する医療用ポジショナーを提供することにある。
【０００９】
また、本発明の他の目的は、ポートを介してエアは自由に出入りできるが、姿勢校正のためのビッドの移動は抑制することができる真空パッドを構成することで、医療用ポジショナーに適用する真空パッド内部に備えられたビッドが偏重することを防止し、ビッドをセル単位に区切るパーティションに設けられたポートを介してビッドが指定のセルから離脱して隣接セルに移動することを制御する真空パッドを提供することにある。
【課題を解決するための手段】
【００１０】
上記課題を解決するために、本発明のある観点によれば、イモビライザー機能を有する医療用ポジショナーは、エアノズルと複数の雌雄嵌合部を有しながら内部にはビッドが備えられ、エア充填の際にはエアクッションを形成し、エア除去の際には真空状態で上記ビッドが患者の身体を固定する真空パッドと、医療装置とセットになっている検査テーブルの位置合わせ用のピンが嵌合されるホールを形成し、上記真空パッドの外側表面に固定される位置合わせ用のロックバーと、上記ロックバーの位置に対応する上記真空パッドの内側表面に固定する固定バーと、を含み、上記固定バーは上記真空パッドの外側及び内側表面に上記ロックバーと固定バーとを固定するための接着剤が塗布される際、上記真空パッドに吸収される上記接着剤によって上記ロックバーと相互接着されて結合するように構成される。
【００１１】
また、上記真空パッドは、エア充填時はエアクッションを形成し、上記真空パッドを着用した患者の特定姿勢を保持する補助エアバッグが結合されて構成される。
【００１２】
また、上記真空パッドには掛け部が形成され、上記補助エアバッグには上記掛け部に結着する所定長さの紐が構成される。
【００１３】
また、上記真空パッドは、上面と下面との二重のラップで構成され、上記ラップの端は熱接合を介して密封されながらパーティションによって複数のセルに区画され、上記各パーティションが連通するように上記各パーティションにはエアが出入りするポートが備えられて構成される。
【００１４】
また、上記パーティションは上記上面と下面とが熱接合されて形成され、上記ポートは上記上面と下面とが熱接合されない領域に構成される。
【００１５】
また、上記ポートは上記エアを選択的に通過するが、ビッドを遮断するフィルタがさらに備えられて構成される。
【００１６】
また、上記フィルタは、真空パッドが真空状態になった場合、身にこたえないように収縮自在なスポンジである。
【００１７】
また、上記スポンジは、円筒状であって、直径は上記ポートの直径より少なくとも１．５倍以上大きく、上記スポンジの腰部が収縮した状態で上記ポートに装着されるように構成される。
【００１８】
また、上記ビッドの直径は２ｍｍ以上であって、上記スポンジのメッシュはその大きさが１．５ｍｍを越えないように構成される。
【００１９】
また、上記パーティションは上記エアノズルから遠くなるほど上記ポート及びスポンジの直径が次第に拡張されるように構成される。
【発明の効果】
【００２０】
以上説明したように本発明によれば、ポートを介してエアは自在に出入りすることができるが、ビッドの移動は抑制する真空パッドを構成する。その一方、真空パッドの外表面に位置合わせ用のロックバーを堅固に固定することで、医療用ポジショナーが適用された真空パッドを患者が着用した際、その真空パッド内部に備えられたビッドが偏重されることを防止するとともに、ビッドをセル単位に区切るパーティションに設けられたポートによってビッドが指定セルから離脱して隣接セルに移動することを制御し、医療検査装備で患者の検査を行う際に、真空パッドを着用した患者の診断や治療の姿勢を自在かつ正確に校正し、その校正された姿勢を正確に固定して医療装置による診断や治療の正確度を高める効果を提供することができる。
【図面の簡単な説明】
【００２１】
【図１】本発明の実施形態に係るイモビライザー機能を有する医療用ポジショナーの構造を示す斜視図である。
【図２】本発明の実施形態に係るイモビライザー機能を有する医療用ポジショナーの構造を示す展開平面図である。
【図３】本発明の実施形態に係るイモビライザー機能を有する医療用ポジショナーの構造を示す部分切開斜視図である。
【図４】本発明の実施形態に係る図２の切断線Ａ−Ａによる断面図である。
【図５】本発明の実施形態に係る、患者がイモビライザー機能を有する医療用ポジショナーを着用した状態図である。
【図６】本発明の実施形態に係るイモビライザー機能を有する医療用ポジショナーと検査テーブルとの分離図である。
【図７】本発明の実施形態に係る、検査テーブルにイモビライザー機能を有する医療用ポジショナーを着用した患者の診断や治療位置を決めて固定した状態を示す断面概略図である。
【図８】本発明の実施形態に係る、真空パッドに補助エアバッグを結合して患者の特定姿勢を保持する状態図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
図１は本発明の実施形態に係るイモビライザー機能を有する医療用ポジショナーの構造を示す斜視図であり、図２は本発明の実施形態に係るイモビライザー機能を有する医療用ポジショナーの構造を示す展開平面図であり、図３は本発明の実施形態に係るイモビライザー機能を有する医療用ポジショナーの構造を示す部分切開斜視図であり、図４は本発明の実施形態に係る図２の切断線Ａ−Ａによる断面図である。
【００２４】
図５は本発明の実施形態に係る患者がイモビライザー機能を有する医療用ポジショナーを着用した状態図であり、図６は本発明の実施形態に係るイモビライザー機能を有する医療用ポジショナーと検査テーブルとの分離図であり、図７は本発明の実施形態に係る検査テーブルにイモビライザー機能を有する医療用ポジショナーを着用した患者の診断や治療位置を決定して固定させた状態を示す断面概略図である。
【００２５】
本発明の実施形態に係る医療用ポジショナーは、添付の図１ないし図７のように、真空パッド１０、ロックバー２０及び固定バー３０を含む。
【００２６】
上記真空パッド１０は、ＭＲＩ、ＣＴ、Ｘ−Ｒａｙ、超音波スキャナ、及び放射線治療用線形アクセレータなどの医療装置とセットになっている検査テーブル１００に患者が横になって上記医療装置で診断や治療が行われるように患者の姿勢を校正した後、その校正した姿勢が固定されるように患者が着用するものであって、エアノズルａと複数の雌雄嵌合部ｂ１、ｂ２を有し、上記エアノズルａによりエアを充填するとエアクッションになる。
【００２７】
このとき、上記真空パッド１０は、軟質の合成樹脂材で、上面と下面との二重のラップ１１から構成され、上記ラップ１１の端に沿って縫製、または熱接合によって密封してチューブとして製造したものであって、上記上面と下面とが連結されるように、複数のパーティション１２が熱接合されて上記端のように形成される。
【００２８】
そして、上記パーティション１２を不連続的に形成するために、その間にエアが通過するポート１３を複数形成し、このパーティション１２によって複数のセルが形成されるとともに、上記セルはポート１３によってネットワークが形成されるように構成される。
【００２９】
上記真空パッド１０の外側には、エアを供給または排出するためのエアノズルａが必ず１つ備えられていて、コンプレッサ(ｃｏｍｐｒｅｓｓｏｒ)あるいはサクション(ｓｕｃｔｉｏｎ)を用いてエアを供給または排出する。
【００３０】
上記ノズルａが１つに制限する理由は、各パーティション１２がポート１３を介して連通しているからである。
【００３１】
上記ポート１３を介してエアが早い速度で出入りする際に、ビッド１４も一緒に移動する傾向がある。よって、パーティション１２の機能が事実上に有名無実となるという問題があった。
【００３２】
本発明では、ビッド１４を適切な割合に配分したパーティション１２の機能を強化するために、パーティションとパーティションとの間の空間、すなわちポート１３にエアだけを選択的に通過させるフィルタ１５が設けられている。上記フィルタ１５は患者がその上に横になっても身がこたえないようにするために、形状自由度の高い海綿体を用いることにその特徴がある。
【００３３】
すなわち、上記フィルタ１５の場合、エアは自在に通過するが、ビッド１４の出入りは選択的に抑制するスポンジを用いることが好ましい。
【００３４】
上記フィルタ１５部材であるスポンジは所定直径を有する円筒状に成形されるが、その直径は真空パッド１０にエアが最大に充填された際のポート１３直径より少なくとも１．５倍以上に大きく形成し、２倍以上に大きくすることがさらに好ましい。
【００３５】
上記フィルタ１５部材であるスポンジは収縮可能であるため、ポート１３直径より大きくても、上記ポート１３に挿入することに何らの差し支えはなく、むしろポート１３の直径よりも大きいため、任意に離脱することもない。
【００３６】
すなわち、上記フィルタ１５部材であるスポンジは収縮させてポート１３に強制に圧入することができる。
【００３７】
この場合、上記フィルタ１５部材であるスポンジを必ず円筒状として制限しないのは、上記フィルタ１５部材であるスポンジは形状自由度が高く、ポート１３の大きさよりも小さくなければ、ポート１３の装着状態に弾性力を有し容易に離脱することはできず、しかもエアは通過するもののビッド１４は通過することができない特性を有するからである。
【００３８】
よって、特に接着剤によって上記フィルタ１５部材であるスポンジをポート１３に固定する必要もない。それとともに、フィルタ１５部材であるスポンジの長さは少なくても１．５ｃｍ以上になれなければエア圧力によってスポンジがポート１３の長手方向に容易に離脱されない。
【００３９】
上記フィルタ１５部材であるスポンジは、真空パッド１０からエアを全部排出させた状態であっても、そのもの自体がクッションを有しているため、外部に突出されるなどの外部から全く異物としての感触を感じないため、特に患者の身にこたえない。
【００４０】
また、上記真空パッド１０は固体状のモールドとして成形してもよい。
【００４１】
上記ビッド１４の直径が普通２ｍｍ以上であるため、スポンジのメッシュ大きさは１．５ｍｍを越えないことが好ましく、エアの自由な通過のために０．５ｍｍ以上であることが好ましい。
【００４２】
一方、本発明の実施形態によれば、真空パッド１０にはエアノズルａが一つ備えられ、一つのエアノズルａを介して各パーティション１２にエアを順次に供給するため、パーティション１２がエアノズルａから遠くなるほどエア供給が低減される。
【００４３】
したがって、上記エアノズルａから遠くなるほどポート１３あるいはフィルタ１５部材であるスポンジの大きさを次第に拡張させる必要がある。
【００４４】
上記ロックバー２０は、医療装置とセットになっている検査テーブル１００の位置合わせ用のピン１０１が嵌合されるホール２１に形成し、上記真空パッド１０の外側表面に接着剤を介して接着されて固定したものである。
【００４５】
上記固定バー３０は、上記ロックバー２０の位置に対応する上記真空パッド１０の内側表面、すなわち上面及び下面からなる二重のラップ１１から構成された上記真空パッド１０の内部面に接着剤によって接着して固定されるように構成される。
【００４６】
このとき、上記固定バー３０は、上記真空パッド１０の外側及び内側表面において上記ロックバー２０と固定バー３０とを固定するための接着剤を塗布する際、上記真空パッド１０に吸収される上記接着剤によって上記ロックバー２０と相互接着され結合される。
【００４７】
すなわち、上記真空パッド１０は軟質の合成樹脂で形成され、上記ロックバー２０及び固定バー３０はプラスチックのような硬質の合成樹脂で形成されていて、上記真空パッド１０の外側及び内側表面に接着剤を塗布した状態で、上記真空パッド１０の外側表面にはロックバー２０を、上記真空パッド１０の内側表面には固定バー３０を接着して固定させた後、上記ロックバー２０と固定バー３０とを加圧する。
【００４８】
そこで、上記真空パッド１０の外側及び内側表面に塗布される接着剤は、上記真空パッド１０の表面内に吸収され、これにより上記ロックバー２０と固定バー３０とは上記接着剤の吸収作用により相互接着して固定される。これにより上記ロックバー２０は上記真空パッド１０の外側表面から上記固定バー３０によって堅固な結合状態を保持することができる。
【００４９】
したがって、上記のように真空パッド１０の外部表面にロックバー２０を堅固に接着固定させた状態で、図４ないし図７のように真空パッド１０のエアノズルａを介してエアが注入される。
【００５０】
そして、上記真空パッド１０のパーティション１２が形成され、上記パーティション１２の一側には複数のポート１３が備えられ、上記ポート１３にはスポンジのようなフィルタ１５が装着されるので、上記エアノズルａを介して真空パッド１０に注入されたエアは上記パーティション１２により区画された内部空間に供給される一方、上記パーティション１２により区画された各セル内に充填されたビッド１４は上記フィルタ１５によって他のセルに移動することができない。
【００５１】
この場合、上記パーティション１２を境界としてビッド１４が適当な割合で配分されているため、上記真空パッド１０を垂直に立たせても重力により一方に偏るという問題は発生せず、メッシュが備えられたフィルタ１５によってエアは上記パーティション１２を境界に自由に各セルに供給または排出させることができる。
【００５２】
したがって、上記エアノズルａにコンプレッサを連結させた状態で、上記コンプレッサを駆動させ、上記パーティション１２によって区画された各セルにエアを注入すると、上記真空パッド１０は所定体積に膨脹され、そのときに上記膨脹した真空パッド１０を複数の雌雄嵌合部ｂ１ｂ２を用いて患者に着用させる。
【００５３】
次に、上記エア注入により所定体積に膨張した真空パッド１０を着用する患者が検査テーブル１００の上に横になった状態で、少しの動きによって上記真空パッド１０のロックバー２０に形成されたホール２１に上記検査テーブル１００に設けられた位置合わせ用のピン１０１を嵌合される。
【００５４】
これにより、上記検査テーブル１００において真空パッド１０を着用した患者の診断や治療位置を正確に校正することができる。
【００５５】
次に、上記検査テーブル１００の上に診断や治療位置が正確に校正された状態で、患者が着用した真空パッド１０のエアノズルａにコンプレッサあるいはサクションを連結して駆動させ、上記パーティション１２により複数セルに区画された真空パッド１０からエアを適量排出させる。
【００５６】
これにより、上記パーティション１２によって複数セルとして区画された上記真空パッド１０からエアを排出することができるとともに、上記真空パッド１０内に充填したビッド１４の配分割合により患者の姿勢を正確に校正することができ、それに医療装置による患者の医療行為に該当する診断や治療が行われることで、その診断や治療を精密に行うことができる。
【００５７】
一方、図８は本発明に係る他の実施形態であって、真空パッド１０に特定姿勢を保持させる補助エアバッグ５０を結合した図である。
【００５８】
すなわち、上記真空パッド１０に掛け部１０ａを設け、上記補助エアバッグ５０には所定長さの紐５１を形成することで、上記補助エアバッグ５０を真空パッド１０の一側に結合して固定することができる。
【００５９】
これにより、上記真空パッド１０を着用した患者が検査テーブル１００の上で特定姿勢、例えば、患者が一方の肩をあげなければならない姿勢を取る際に、上記補助エアバッグ５０が上記の特定姿勢を保持することで、診断や治療行為の効率性を高めることができる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
１０  真空パッド
１０ａ  掛け部
１１  ラップ
１２  パーティション
１３  ポート
１４  ビッド
１５  フィルタ
２０  ロックバー
２１  ホール
３０  固定バー
５０  補助エアバッグ
５１  紐
１００  検査テーブル
【図１】
2011011046.tif 000003
【図２】
2011011046.tif 000004
【図３】
2011011046.tif 000005
【図４】
2011011046.tif 000006
【図５】
2011011046.tif 000007
【図６】
2011011046.tif 000008
【図７】
2011011046.tif 000009
【図８】
2011011046.tif 000010